(57)【特許請求の範囲】
【請求項１】
机上に載置可能で、給電線を面に沿って蛇行状としてほぼ全域に設けたシート状部材と、このシート状部材上に載置可能なピックアップとを有し、
前記シート状部材は、絶縁体が充填される絶縁体充填領域を内部に備える偏平で中空の被覆材と、この被覆材内の前記絶縁体充填領域に充填される絶縁体と、この絶縁体内に、周囲が絶縁体に囲まれた状態で、シート状部材の面に沿って蛇行状に埋め込まれる前記給電線と、を備え、
前記ピックアップは、前記給電線との間の電磁誘導作用により電力を取り込むピックアップコイルを備えて該取り込んだ電力により作動する負荷に接続され、
前記ピックアップにピックアップ側接続コードを介してコンセントタップが接続され、このコンセントタップに、前記負荷に接続される負荷側接続コードのプラグが接続される
ことを特徴とする給電装置。
【発明の詳細な説明】
【技術分野】
【０００１】
本発明は、給電線から非接触で電力を取り込む給電装置に関する。
【背景技術】
【０００２】
給電線から非接触で電力を取り込む給電装置としては、例えば下記特許文献１に記載されたものが知られている。これは、ドッキングベイのシートに複数の給電コイルを設ける一方、コンピュータに少なくとも１つの受電コイルを設け、給電コイルと受電コイルとの間の電磁誘導作用によりドッキングベイからコンピュータに給電する。
【先行技術文献】
【特許文献】
【０００３】
【特許文献１】特開平１１−１４３６００号公報
【発明の概要】
【発明が解決しようとする課題】
【０００４】
ところで、上記した従来の給電装置は、受電コイルが、負荷であるコンピュータ側に内蔵されて一体化しているものであるため、コンピュータのみならず他の負荷を使用する際にもすべての負荷に受電コイルを内蔵させる必要があり、汎用性に劣っている。
【０００５】
そこで、本発明は、負荷が給電線から非接触で電力の供給を受ける際に汎用性を高めることを目的としている。
【課題を解決するための手段】
【０００６】
請求項１の発明は、机上に載置可能で、給電線を面に沿って蛇行状としてほぼ全域に設けたシート状部材と、このシート状部材上に載置可能なピックアップとを有し、前記シート状部材は、絶縁体が充填される絶縁体充填領域を内部に備える偏平で中空の被覆材と、この被覆材内の前記絶縁体充填領域に充填される絶縁体と、この絶縁体内に、周囲が絶縁体に囲まれた状態で、シート状部材の面に沿って蛇行状に埋め込まれる前記給電線と、を備え、前記ピックアップは、前記給電線との間の電磁誘導作用により電力を取り込むピックアップコイルを備えて該取り込んだ電力により作動する負荷に接続され、前記ピックアップにピックアップ側接続コードを介してコンセントタップが接続され、このコンセントタップに、前記負荷に接続される負荷側接続コードのプラグが接続されることを特徴とする。
【発明の効果】
【０００９】
請求項１の発明によれば、机上のシート状部材の給電線から電力を取り込むピックアップを、負荷とは別体として負荷に接続可能な構成としたので、負荷には給電線との間の電磁誘導作用に必要な受電用のコイルを設ける必要がなく、負荷が給電線から非接触で電力の供給を受ける際の汎用性を高めることができる。
また、給電線をシート状部材のほぼ全域に配置してあり、ピックアップをシート状部材上の適宜位置に載せることで、給電線から電力の取り込みを行うことができる。
【図面の簡単な説明】
【００１２】
【図１】本発明の第１の実施形態に係わる給電装置を利用したオフィス全体を示す斜視図である。
【図２】第１の実施形態の給電シートを示す斜視図である。
【図３】図２のＡ−Ａ断面図である。
【図４】（ａ）は第１の実施形態の給電シート上にパーソナルコンピュータ及びピックアップを載置した状態を示す側面図、（ｂ）は、（ａ）のピックアップ部分を断面として示す要部の側面図である。
【図５】本発明の第２の実施形態に係わる給電装置の全体構成を示す斜視図である。
【発明を実施するための形態】
【００１３】
以下、本発明の実施の形態を図面に基づき説明する。
【００１４】
［第１の実施形態］
図１に示すように、オフィスに設置した机１の上には、シート状部材としての給電シート３を載せてあり、この給電シート３には、その面に沿って給電線５を例えば蛇行状に設けている。給電線５には、図２に示すように直流の高周波電源７を接続して直流電流を供給可能としている。また、図３に示すように、給電シート３は、給電線５が、被覆材９内に充填した絶縁体１１内に埋め込まれた状態として絶縁被覆してある。
【００１５】
そして、上記した給電シート３上にピックアップ１３を載せ、ピックアップ１３が給電線５から取り込んだ電力を負荷であるパーソナルコンピュータ１５に供給する。ピックアップ１３は、図４に示すように、絶縁部材からなるカバー１７内にピックアップコア１９を収容固定し、このピックアップコア１９に、給電線５との間の電磁誘導作用により電力を取り込むピックアップコイル２１を巻き付けてある。
【００１６】
また、ピックアップコイル２１には、カバー１７を通して外部に引き出した接続コード２３の一端を接続し、接続コード２３の他端を、コネクタ２５を介してパーソナルコンピュータ１５に着脱可能に接続する。
【００１７】
本実施形態では、パーソナルコンピュータ１５を机上で使用する際には、接続コード２３のコネクタ２５をパーソナルコンピュータ１５に接続した状態で、ピックアップ１３を給電シート３上に載置する。このとき、給電線５には高周波電源７から電力が供給されて直流電流が流れており、これにより、給電線５とピックアップコイル２１との間の電磁誘導によって、ピックアップ１３が給電線５から電力を取り込み、取り込んだ電力が接続コード２３を介してパーソナルコンピュータ１５に供給される。
【００１８】
ここで、本実施形態では、給電線５を給電シート３のほぼ全域に配置してあり、ピックアップ１３を給電シート３上の適宜位置に載せることで、給電線５から電力の取り込みを行うことができる。つまり、本実施形態では、ピックアップ１３を給電シート３に載せて電力を取り込むことができる範囲であれば、パーソナルコンピュータ１５を机上のどこに置いた状態であっても使用することができる。
【００１９】
このように、本実施形態では、机上に載置した給電シート３から電力を取り込むピックアップ１３を、パーソナルコンピュータ１５とは別体としてパーソナルコンピュータ１５に接続可能な構成としている。このため、パーソナルコンピュータ１５には給電線５との間の電磁誘導作用に必要な受電用のコイルを内蔵させる必要がなく、パーソナルコンピュータ１５が給電線５から非接触で電力の供給を受ける際の汎用性を高めることができる。
【００２０】
また、本実施形態では、給電線３に直流電流を供給しているので、給電線３からパーソナルコンピュータ１５に電力を供給する際に、交流から直流への電力変換が不要となり、省エネルギで電力の供給を行うことができる。
【００２１】
［第２の実施形態］
第２の実施形態は、図５に示すように、オフィスの床面２７にフラット形状の給電線２９を設け、給電線２９の上にカーペット３１を被せる。そして、前記図４に示したものと同様のピックアップ１３をカーペット３１上に載せる。この際、本実施形態では、前記した第１の実施形態の給電シート３における給電線５のように、給電線２９を床面２７の必要とするほぼ全域に配置してあるものとし、該給電線２９には、第１の実施形態と同様に高周波直流電源が接続されるものとする。
【００２２】
また、ここでのピックアップ１３には、ピックアップ側接続コード３３の一端を接続し、ピックアップ側接続コード３３の他端をコンセントタップ３４に接続する。そして、このコンセントタップ３４に、負荷であるパーソナルコンピュータ１５や携帯電話３５のクレイドル３７に接続した負荷側接続コード３９，４１のプラグ４３，４５を接続する。
【００２３】
したがって、本実施形態においても、ピックアップ１３を、給電線２９を配置してある領域のカーペット３１上の適宜位置に載せることで、パーソナルコンピュータ１５を使用する際や携帯電話３５の充電を行う際に電力の取り込みを行うことができる。
【００２４】
そして、本実施形態においても、ピックアップ１３を、パーソナルコンピュータ１５やクレイドル３７（携帯電話３５）などの負荷とは別体として該負荷に接続可能な構成としている。このためパーソナルコンピュータ１５などの負荷には、給電線２９との間の電磁誘導作用に必要な受電用のコイルを内蔵させる必要がなく、負荷が給電線２９から非接触で電力の供給を受ける際の汎用性を高めることができる。
【符号の説明】
【００２５】
１  机
３  給電シート（シート状部材）
５，２９  給電線
１３  ピックアップ
１５  パーソナルコンピュータ（負荷）
２１  ピックアップコイル
２７  床面
３７  携帯電話のクレイドル（負荷）
【図１】
0005891419.tif 000002
【図２】
0005891419.tif 000003
【図３】
0005891419.tif 000004
【図４】
0005891419.tif 000005
【図５】
0005891419.tif 000006